(57)【要約】【課題】解決しようとする問題点は、再配信に制限が掛かっているコンテンツが再配信された場合、どの受信装置の出力を記録したコンテンツが再配信されたのか、流出ルートを特定する点である。【解決手段】本発明は、放送局側から番組を一意に識別するためのコンテンツ識別子と、その番組が録画された場合に２次流出を防ぐための再配信管理記述子を付与して送出される場合、受信装置でそのコンテンツ識別子と再配信管理記述子を解釈し、受信装置からの出力を録画している機器を検知したら受信機ＩＤ、コンテンツＩＤ等をインターネットや電話回線等を利用してデータサーバーに送信して情報を管理し、再配信されている事が判明した場合にそのコンテンツ内に埋め込まれた情報と管理情報の照合を行なうことで流出ルートを特定することをもっとも主要な特徴としている。【選択図】図１
2006254016.tif 000002
【特許請求の範囲】
【請求項１】
受信装置に接続された録画機器を検出する手段と、その録画機器が録画しているか検出する手段と、再配信の制限された番組を解析する手段と、一意に識別された番組を解析する手段と、解析した番組に受信装置固有の情報を付与して出力する手段と、録画している番組の識別情報と受信装置固有の情報を通知する手段と、通知された識別情報を管理する手段と、再配信に制限のある番組が再配信された場合に流出ルートを特定する手段を備えたコンテンツ識別子と再配信管理記述子を利用した受信装置。
【請求項２】
前記一意に識別された番組を解析する手段は、コンテンツ識別子を用いて解析する事を特徴とする請求項１に記載のコンテンツ識別子と再配信管理記述子を利用した受信装置。
【請求項３】
前記一意に識別された番組を解析する手段は、ＩＳＯのＩＳＡＮ、Ｖ−ＩＳＡＮを用いて解析する事を特徴とする請求項１に記載のコンテンツ識別子と再配信管理記述子を利用した受信装置。
【請求項４】
前記一意に識別された番組を解析する手段は、その他規格団体が定める識別子を用いて解析する事を特徴とする請求項１に記載のコンテンツ識別子と再配信管理記述子を利用した受信装置。
【請求項５】
前記一意に識別された番組を解析する手段は、請求項２から請求項４の何れかその組み合わせ、又は全てを備えた請求項１に記載のコンテンツ識別子と再配信管理記述子を利用した受信装置。
【請求項６】
前記再配信の制限された番組を解析する手段は、再配信管理記述子を用いて解析する事を特徴とする請求項１から５の何れかに記載のコンテンツ識別子と再配信管理記述子を利用した受信装置。
【請求項７】
前記再配信の制限された番組を解析する手段は、その他規格団体が定める識別子を用いて解析する事を特徴とする請求項１から６の何れかに記載のコンテンツ識別子と再配信管理記述子を利用した受信装置。
【請求項８】
前記解析した番組に受信装置固有の情報を付与して出力する手段は、再配信管理記述子の可変領域に受信装置のＩＤを付与する事を特徴とする請求項１から７の何れかに記載のコンテンツ識別子と再配信管理記述子を利用した受信装置。
【請求項９】
前記録画している番組の識別情報と受信装置固有の情報を通知する手段は、電話回線やインターネット網等を使用して通知できる、請求項１から８の何れかに記載のコンテンツ識別子と再配信管理記述子を利用した受信装置。
【請求項１０】
前記通知された識別情報を管理する手段は、電話回線やインターネット網等と通信できるサーバー上で管理する、請求項１から９の何れかに記載のコンテンツ識別子と再配信管理記述子を利用した受信装置。
【請求項１１】
受信装置に接続された録画機器を検出するステップと、その録画機器が録画しているか検出するステップと、再配信の制限された番組を解析するステップと、一意に識別された番組を解析するステップと、解析した番組に受信装置固有の情報を付与して出力するステップと、録画している番組の識別情報と受信装置固有の情報を通知するステップと、通知された識別情報を管理するステップと、再配信に制限のある番組が再配信された場合に流出ルートを特定するステップを備えることを特徴とする受信方法。
【請求項１２】
受信装置に接続された録画機器を検出するステップと、その録画機器が録画しているか検出するステップと、再配信の制限された番組を解析するステップと、一意に識別された番組を解析するステップと、解析した番組に受信装置固有の情報を付与して出力するステップと、録画している番組の識別情報と受信装置固有の情報を通知するステップと、通知された識別情報を管理するステップと、再配信に制限のある番組が再配信された場合に流出ルートを特定するステップを実行させるためのプログラム。
【請求項１３】
請求項１２に記載したプログラムを記憶した記憶媒体。
【発明の詳細な説明】
【技術分野】
【０００１】
本発明は、再配信に制限が掛かっているコンテンツが再配信された場合、どの受信装置の出力を記録したコンテンツが再配信されたのか、流出ルートを特定する受信装置に関する。
【背景技術】
【０００２】
従来、再配信に制限が掛かっているコンテンツが再配信された場合、どの受信装置の出力を記録したコンテンツが再配信されたのか、流出ルートを特定するのは困難であった（例えば、特許文献１、特許文献２、非特許文献１、非特許文献２参照）。
【特許文献１】特開２００４−１９９１９０号公報
【特許文献２】特表２００２−５４２５３２号公報
【非特許文献１】ＡＴＳＣ規格  Ａ／５７Ａ
【非特許文献２】ＡＴＳＣ規格  Ａ／６５Ｂ
【発明の開示】
【発明が解決しようとする課題】
【０００３】
解決しようとする問題点は、再配信に制限が掛かっているコンテンツが再配信された場合、どの受信装置の出力を記録したコンテンツが再配信されたのか、流出ルートを特定する点である。
【課題を解決するための手段】
【０００４】
本発明は、放送局側から番組を一意に識別するためのコンテンツ識別子と、その番組が録画された場合に２次流出を防ぐための再配信管理記述子を付与して送出される場合、受信装置でそのコンテンツ識別子と再配信管理記述子を解釈し、受信装置からの出力を録画している機器を検知したら受信機ＩＤ、コンテンツＩＤ等をインターネットや電話回線等を利用してデータサーバーに送信して情報を管理し、再配信されている事が判明した場合にそのコンテンツ内に埋め込まれた情報と管理情報の照合を行なうことで流出ルートを特定することをもっとも主要な特徴とする。
【発明の効果】
【０００５】
本発明のコンテンツ識別子と再配信管理記述子を利用した受信装置は、放送局から送信される番組のコンテンツ識別子と再配信管理記述子を利用し、受信装置が再配信に制限がある番組を出力した場合にその出力を録画している機器を検地したら、録画されている番組の受信機ＩＤやコンテンツＩＤ等をデータサーバーに自動で送信し、送信された情報を管理する事で、該当の録画番組が再配信されている事が判明した場合にコンテンツ内に埋め込まれた情報と管理情報の照合を行なうことで流出ルートを特定することで、不正流出の摘発が可能となる。
【発明を実施するための最良の形態】
【０００６】
次に添付図面を参照して、本発明によるコンテンツ識別子と再配信管理記述子を利用した受信装置の実施の形態を詳細に説明する。
【０００７】
（実施の形態１）
図１は、本発明のコンテンツ識別子と再配信管理記述子を利用した受信装置の一実施形態を示す。本実施形態の受信装置は、放送局１０、送信される番組１１、受信機１２、回線１３、データサーバー１４、録画機器１５、インターネット網１６、通知１７より構成される。
【０００８】
受信機１２は自機からの出力を録画している機器がないか周期的に確認し、録画している機器を検知した場合、現在録画されている番組が放送局１０から送信される番組１１に再配信に制限を掛ける記述子を付与して送信されるかどうかの確認を行ない、付与されている場合にはその番組の識別子やその他情報を、回線１３を通じてデータサーバー１４に通知する。
【０００９】
データサーバー１４では、受信機１２から通知されたデータの管理を行ない、通知１７があった場合には必要に応じて通知された情報と、不正に再配信されているコンテンツの内容の照合を行ない、流出ルートの特定を行なう。
【００１０】
なお、通知１７に関してはインターネット網１６上に流通するコンテンツの確認やユーザからの通知等でよい。
【００１１】
以下、一実施形態の詳細説明をするために図１から図５、及び北米のＡＴＳＣ規格を用いて説明する。図２は、送信される番組１１の構造図を示す。図２を参照して、本実施例における送信される番組１１の構造を説明する。
【００１２】
放送局１０は、送信される番組１１の各番組に映像信号、音声信号と共にＥＩＴ２０に示すコンテンツ識別子２１及び再配信記述子２３を付与して放送を送信する。ＥＩＴ２０内にはコンテンツ識別子２１を判断するコンテンツ識別タグ２３が配置され、コンテンツＩＤ構造体２２内に、システムＩＤ２４、コンテンツＩＤ２５が配置される。コンテンツ識別タグ２３は、ＥＩＴ２０にコンテンツ識別子２１が存在する事を示す。システムＩＤ２４は、コンテンツＩＤがどの規格によって付与されたものかを示し、コンテンツＩＤ２５が各番組に一意に付与される番号を示す。
【００１３】
なお、コンテンツ識別子２１、コンテンツＩＤ構造体２２、コンテンツ識別タグ、システムＩＤ２４、コンテンツＩＤ２５は北米ＡＴＳＣ規格のものであるが、各番組を一意に識別できる他の規格でも良い。
【００１４】
再配信記述子２３は、送信される番組１１が記憶媒体に録画されたのちにインターネット網１６等の不特定多数が視聴できる環境への再配信やコピーの許可／不許可を定める記述子であり、再配信許可の場合は特に問題ないが再配信不許可の番組を再配信した場合に再配信を許した受信機１２は問題となる。
【００１５】
なお、再配信記述子２３は再配信の許可／不許可だけではなく、再配信できない録画方法を指定して送信される場合があり、指定された録画方法に対応していない受信機１２は出力できない。
【００１６】
図３は、受信機１２の一例を示した構成図を示す。図３を参照して、本実施例における受信機１２の動作を説明する。
【００１７】
放送局１０からコンテンツ識別子２１を付与して送信された番組１１を受信した時、アンテナ３０から受信ストリームが受信機１２に入力される。受信ストリームには映像信号、音声信号、ＥＩＴ２０等の番組情報データが混在して入力されるため、ストリーム解析部３１にて映像信号、音声信号、番組情報データの解析を行ない、それぞれ映像復号化部３５、音声復号化部３４、データ解析部３２に受信ストリームを分配する。データ解析部３２では、外部出力制御部４０から通知が来た場合にＥＩＴ２０から再配信管理記述子２３の配置と再配信の許可／不許可の解析を行ない、再配信不許可の場合にはコンテンツ識別子２１内のコンテンツＩＤ構造体２２内のシステムＩＤ２４、コンテンツＩＤ２５の抽出処理を行ない記憶と、外部出力用暗号化部３９へ必要な情報を通知し、解析結果をデータ送信部３３に通知する。
【００１８】
この時、コンテンツ識別子２１が存在しない場合、再配信不許可のコンテンツの再配信を防ぐことが目的であるためダミーのシステムＩＤ２４、コンテンツＩＤ２５、例えばシステムＩＤ：ＤＵＭＭＹ、コンテンツＩＤ：××××等を付与して処理を継続させる。
【００１９】
また、データ解析部３２ではコンテンツ識別子２１以外の番組情報データの解析も行ない、ユーザに提示する必要がある情報に関しては表示合成部３６に通知し、映像復号化部３５で処理された映像ストリームと合わせて映像出力部３８から出力する。音声復号化部３４、映像復号化部３５ではそれぞれ分配された受信ストリームの復号化処理を行なう。外部出力制御部４０では、周期的に録画機器１５の存在の有無と状態の監視を行なっており、録画機器１５が録画状態となった場合には音声復号化部３４及び映像復号化部３５に対して復号化処理のされたストリームを外部出力用暗号化部３９へ流すように指示し、同時にデータ解析部３２に対して録画が開始されたことを通知する。
【００２０】
なお、外部出力制御部４０が録画機器１５の存在の有無と状態の監視を行なう方法は、例えば１３９４接続されている場合には受信機１２と録画機器１５は１３９４コマンドを用いて存在の有無の確認や、録画開始コマンド、録画状態への状態変化コマンドを発行する事によってお互いの状態を確認できる。
【００２１】
外部出力用暗号化部３９では、データ解析部３２、音声復号化部３４、及び映像復号化部３５から流れてきたストリームを暗号化、例えばパーシャルＴＳ化して外部出力制御部４０を通して受信機１２に接続された録画機器１５に出力し、データ送信部３３では通知された情報を、回線１３を通じてデータサーバー１４に送信する。
【００２２】
図４はデータ解析部３２のフローチャートを示す。図５を参照して、本発明のコンテンツ識別子と再配信管理記述子を利用した受信装置の一実施例を示す。
【００２３】
図５は、データサーバー１４で管理される管理情報５０の一例を示す。ある放送局１０から送信される番組１１を○○○紀行とした場合、ＥＩＴ２０内にコンテンツ識別子２１、再配信管理記述子２３を再配信不許可で配置し、システムＩＤ２４にＩＳＡＮ、コンテンツＩＤ２５に１１１１−２２２２−３３３３−４４４４を配置して送出し、受信機ＩＤがＡＡＡＡの受信機１２で受信する。
【００２４】
受信機１２では、この送信ストリーム常に受信すると同時に録画機器１５と接続の有無、接続されていた場合に録画機器１５が録画状態になっていないかを周期的に確認する。受信機１２に接続された録画機器１５が録画状態になったことを確認すると、受信機１２内の外部出力制御部４０からデータ解析部３２に録画開始が通知される。
【００２５】
データ解析部３２は、ストリーム解析部３１から分配される受信ストリーム内のＥＩＴ２０を検索し、ＥＩＴ２０内の再配信管理記述子２３の内容を解析し、再配信が不許可となっているためコンテンツ識別子２１内のシステムＩＤ２４：ＩＳＡＮ、コンテンツＩＤ２５：１１１１−２２２２−３３３３−４４４４の抽出を行ない記憶し、同時に外部出力用暗号化部３９にはＥＩＴ２０内の可変領域に受信機ＩＤ：ＡＡＡＡを埋め込み、データ送信部３３にはシステムＩＤ２４：ＩＳＡＮ、コンテンツＩＤ２５：１１１１−２２２２−３３３３−４４４４の通知を行なう。
【００２６】
外部出力用暗号化部３９では、データ解析部３２、音声復号化部３４、及び映像復号化部３５から流れてきたストリームの暗号化を行ない、外部出力制御部４０を通じて受信機１２に接続された録画機器１５に出力し、データ送信部３３では、データ解析部３２から通知された内容以外に受信機ＩＤや視聴時間等の情報を付与して、モデムやイーサネット（登録商標）等を経由して回線１３からデータサーバー１４に情報を送信する。データサーバー１４では、受信機１２から送信された情報を逐一管理情報５０の様な形式で保存していく。
【００２７】
受信機ＩＤ：ＡＡＡＡから、再配信不許可の番組がインターネット網１６に流れている場合、そのコンテンツのストリームをキャプチャして解析し、受信機ＩＤ：ＡＡＡＡ、システムＩＤ２４：ＩＳＡＮ、コンテンツＩＤ２５：１１１１−２２２２−３３３３−４４４４が判明し、データサーバー１４の管理情報５０と照合する事でどの受信機１２からの出力からの出力が不正流出しているかがわかる。
【００２８】
以上より、再配信が不許可のコンテンツの流出ルートを特定することができる。尚、上述の実施形態は本発明の好適な実施の一例であるが、これに限定されるものではなく、本発明の要旨を逸脱しない範囲において種々変形実施可能である。
【産業上の利用可能性】
【００２９】
本発明のコンテンツ識別子を利用したデータ収集装置は、番組の視聴率調査を行なう上で視聴率調査専用装置を使用せずにデータ収集を行なうのに有用である。
【図面の簡単な説明】
【００３０】
【図１】本発明の受信装置の一実施形態を示すシステム構成図
【図２】送信される番組１１の構造図
【図３】受信機１２の一例を示した構成図
【図４】データ解析部３２のデータ解析を示すフローチャート
【図５】データサーバー１４で管理される管理情報５０の一例を示した図
【符号の説明】
【００３１】
１０    放送局
１１    送信される番組
１２    受信機
１３    回線
１４    データサーバー
１５    録画機器
１６    インターネット網
１７    通知
２０    ＥＩＴ
２１    コンテンツ識別子
２２    コンテンツＩＤ構造体
２３    再配信管理記述子
２４    システムＩＤ
２５    コンテンツＩＤ
３０    アンテナ
３１    ストリーム解析部
３２    データ解析部
３３    データ送信部
３４    音声復号化部
３５    映像復号化部
３６    表示合成部
３７    音声出力部
３８    映像出力部
３９    外部出力用暗号化部
４０    外部出力制御部
５０    管理情報
【図１】
2006254016.tif 000003
【図２】
2006254016.tif 000004
【図３】
2006254016.tif 000005
【図４】
2006254016.tif 000006
【図５】
2006254016.tif 000007